【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
マイクロ流体デバイスであって、
中心領域および外縁を有するディスク形状本体を備え、前記本体は、中心軸を中心として回転するために構成され、かつ
前記ディスク形状本体の前記中心領域内に位置する流体入口ポートと、
近位端、遠位端、および流動軸を有する流動チャネルであって、前記流体入口ポートと流体連通する、流動チャネルと、
前記流動チャネルと流体連通し、かつ前記流動軸からずれている複数の流体溜まりと、
前記流動チャネルと連通する流体出口ポートであって、前記流動チャネルの前記遠位端よりも前記ディスク形状本体の前記中心領域の近くに位置する、流体出口ポートと
をさらに備える、マイクロ流体デバイス。
【請求項２】
マイクロ流体デバイスであって、
中心領域、外縁、および中心軸を有するディスク形状本体を備え、前記ディスク形状本体は、前記中心軸を中心として回転するために構成され、かつ
前記ディスク形状本体の前記中心領域に位置決めされた流体入口ポートと、
流動軸と最外領域とを有する流動チャネルであって、前記流動チャネルの前記最外領域は前記中心領域から最も遠い前記流動チャネルの領域であり、前記流動チャネルは前記流体入口ポートと流体連通する、流動チャネルと、
前記流動チャネルと流体連通し、かつ前記流動軸からずれている複数の流体溜まりと、
前記流動チャネルと流体連通する流体出口ポートであって、前記中心領域から前記流体出口ポートまでの距離が前記流動チャネルの前記中心領域から前記最外領域までの距離よりも小さい、流体出口ポートと
をさらに備える、マイクロ流体デバイス。
【請求項３】
フローセルをさらに備え、前記フローセルは前記流体入口ポート、前記流体出口ポート、および複数の流動チャネルを備え、前記流動チャネルのそれぞれは、前記流体入口ポートおよび前記流体出口ポートと流体連通する、請求項１〜２のいずれか１項に記載のマイクロ流体デバイス。
【請求項４】
前記複数の流動チャネルは、各流動チャネルの前記流動軸が前記ディスク形状本体の前記外縁に垂直であるように構成される、請求項３に記載のマイクロ流体デバイス。
【請求項５】
前記複数の流動チャネルは、前記流動チャネルが平行に配列されるように構成される、請求項３に記載のマイクロ流体デバイス。
【請求項６】
前記流体溜まりのうちの少なくとも１つは、前記流動軸に直交する以外の角度である、請求項１〜５のいずれか１項に記載のマイクロ流体デバイス。
【請求項７】
前記流体溜まりのうちの少なくとも１つは、前記流動軸に直交する角度である、請求項１〜５のいずれか１項に記載のマイクロ流体デバイス。
【請求項８】
前記流体溜まりのそれぞれは、開口管路によって前記流動チャネルと流体連通する、請求項１〜７のいずれか１項に記載のマイクロ流体デバイス。
【請求項９】
前記流体溜まりのうちの少なくとも１つは、前記流動チャネルと流体連通する少なくとも１つのチャネルをさらに備える、請求項１〜８のいずれか１項に記載のマイクロ流体デバイス。
【請求項１０】
前記流動チャネルおよび前記複数の流体溜まりのうちの少なくとも１つは、疎水性表面を備える、請求項１〜９のいずれか１項に記載のマイクロ流体デバイス。
【請求項１１】
前記流動チャネルおよび前記複数の流体溜まりのうちの少なくとも１つは、親フルオロ性表面を備える、請求項１〜１０のいずれか１項に記載のマイクロ流体デバイス。
【請求項１２】
共通流体リザーバをさらに備え、前記共通流体リザーバは、前記流動チャネルのそれぞれの前記遠位端と流体連通し、前記共通流体リザーバは、前記流体出口ポートと流体連通する、請求項３〜１１のいずれか１項に記載のマイクロ流体デバイス。
【請求項１３】
前記流体出口ポートは、前記流体入口ポートよりも前記ディスク形状本体の中心の近くに位置する、請求項１〜１２のいずれか１項に記載のマイクロ流体デバイス。
【請求項１４】
前記流体出口ポートは、前記流体入口ポートよりも前記ディスク形状本体の中心から離れて位置する、請求項１〜１２のいずれか１項に記載のマイクロ流体デバイス。
【請求項１５】
前記流体出口ポートは、前記流体入口ポートと同等に、前記ディスク形状デバイスの中心の近くに位置する、請求項１〜１２のいずれか１項に記載のマイクロ流体デバイス。
【請求項１６】
複数のフローセルをさらに備え、各フローセルは、
複数の流動チャネルと、
流体入口ポートと、
流体出口ポートであって、前記流動チャネルの前記遠位端よりも前記ディスク形状本体の前記中心領域の近くに位置する、流体出口ポートと
を備える、請求項１〜１５のいずれか１項に記載のマイクロ流体デバイス。
【請求項１７】
複数のフローセルをさらに備える、請求項３〜１５のいずれか１項に記載のマイクロ流体デバイス。
【請求項１８】
前記フローセルのそれぞれは、複数の流体入口ポート、複数の流体出口ポート、またはそれらの組み合わせを備える、請求項１６〜１７のいずれか１項に記載のマイクロ流体デバイス。
【請求項１９】
マイクロ流体デバイスに流体を導入するための方法であって、前記方法は、
マイクロ流体デバイスを提供することであって、前記マイクロ流体デバイスは、
中心領域および外縁を有するディスク形状本体を備え、前記本体は、中心軸を中心として回転するために構成され、かつ
前記ディスク形状本体の前記中心領域内に位置する流体入口ポートと、
近位端、遠位端、および流動軸を有する流動チャネルであって、前記流体入口ポートと流体連通する、流動チャネルと、
前記流動チャネルと流体連通し、かつ前記流動軸からずれている複数の流体溜まりと、
前記流動チャネルと連通する流体出口ポートであって、前記流動チャネルの前記遠位端よりも前記ディスク形状本体の前記中心領域の近くに位置する、流体出口ポートと
をさらに備える、ことと、
前記マイクロ流体デバイスの第２の流体入口ポートに第２の流体を提供することと
を含む、方法。
【請求項２０】
前記マイクロ流体デバイスをその中心軸を中心として回転させて、前記マイクロ流体デバイスの前記流動チャネルに前記第２の流体を装填することをさらに含む、請求項１９に記載の方法。
【請求項２１】
前記第２の流体に圧力を印加することを含み、前記圧力は、前記マイクロ流体デバイスの前記流動チャネルを通じて前記第２の流体を推し進めるために十分である、請求項１９に記載の方法。
【請求項２２】
前記圧力は、正圧または負圧である、請求項２１に記載の方法。
【請求項２３】
前記マイクロ流体デバイスの第１の流体入口ポートに第１の流体を導入することをさらに含み、前記第１の流体入口ポートおよび前記第２の流体入口ポートは独立して同じポートまたは異なるポートであり、前記第１の流体は油を含む、請求項１９〜２２のいずれか１項に記載の方法。
【請求項２４】
前記マイクロ流体デバイスの第３流体入口ポートに第３の流体を導入することをさらに含み、前記第１の流体入口ポート、前記第２の流体入口ポート、および前記第３の流体入口ポートは、独立して同じポートまたは異なるポートであり、前記第３の流体は油を含む、請求項１９〜２３のいずれか１項に記載の方法。
【手続補正２】
【補正対象書類名】明細書
【補正対象項目名】００１６
【補正方法】変更
【補正の内容】
【００１６】
種々の側面において、本開示は、流動軸、上流端、および下流端を有する流動チャネルと、流動チャネルと流体連通し、かつ流動軸からずれている複数の流体溜まりとを備え、流体溜まりのそれぞれが、上流端および下流端を有し、流動チャネルが、流体溜まりのそれぞれの上流または下流に位置決めされた収縮部を備える、装置を提供する。
本願明細書は、例えば、以下の項目も提供する。
（項目１）
マイクロ流体デバイスであって、
中心領域および外縁を有するディスク形状本体であって、中心軸を中心として回転するために構成され、かつ
前記ディスク形状本体の前記中心領域内に位置する流体入口ポートと、
近位端、遠位端、および流動軸を有する流動チャネルであって、前記流体入口ポートと流体連通する、流動チャネルと、
前記流動チャネルと流体連通し、かつ前記流動軸からずれている複数の流体溜まりと、
前記流動チャネルと連通する流体出口ポートであって、前記流動チャネルの前記遠位端よりも前記ディスク形状本体の前記中心領域の近くに位置する、流体出口ポートと、をさらに備える、ディスク形状本体を備える、マイクロ流体デバイス。
（項目２）
マイクロ流体デバイスであって、
中心領域、外縁、および中心軸を有するディスク形状本体を備え、前記ディスク形状本体は、前記中心軸を中心として回転するために構成され、かつ
前記ディスク形状本体の前記中心領域に位置決めされた流体入口ポートと、
流動軸と最外領域とを有する流動チャネルであって、前記流動チャネルの前記最外領域は前記中心領域から最も遠い前記流動チャネルの領域であり、前記流動チャネルは前記流体入口ポートと流体連通する、流動チャネルと、
前記流動チャネルと流体連通し、かつ前記流動軸からずれている複数の流体溜まりと、
前記流動チャネルと流体連通する流体出口ポートであって、前記中心領域から前記流体出口ポートまでの距離が前記流動チャネルの前記中心領域から前記最外領域までの距離よりも小さい、流体出口ポートと、
をさらに備える、マイクロ流体デバイス。
（項目３）
フローセルをさらに備え、前記フローセルは前記流体入口ポート、前記流体出口ポート、および複数の流動チャネルを備え、前記流動チャネルのそれぞれは、前記流体入口ポートおよび前記流体出口ポートと流体連通する、項目１〜２のいずれか１項に記載のマイクロ流体デバイス。
（項目４）
前記複数の流動チャネルは、各流動チャネルの前記流動軸が前記ディスク形状本体の前記外縁に垂直であるように構成される、項目３に記載のマイクロ流体デバイス。
（項目５）
前記複数の流動チャネルは、前記流動チャネルが平行に配列されるように構成される、項目３に記載のマイクロ流体デバイス。
（項目６）
前記流体溜まりのうちの少なくとも１つは、前記流動軸に直交する以外の角度である、項目１〜５のいずれか１項に記載のマイクロ流体デバイス。
（項目７）
前記流体溜まりのうちの少なくとも１つは、前記流動軸に直交する角度である、項目１〜５のいずれか１項に記載のマイクロ流体デバイス。
（項目８）
前記流体溜まりのそれぞれは、開口管路によって前記流動チャネルと流体連通する、項目１〜７のいずれか１項に記載のマイクロ流体デバイス。
（項目９）
前記流体溜まりのうちの少なくとも１つは、前記流動チャネルと流体連通する少なくとも１つのチャネルをさらに備える、項目１〜８のいずれか１項に記載のマイクロ流体デバイス。
（項目１０）
前記デバイスは、ポリジメチルシロキサン（ＰＤＭＳ）、熱硬化性ポリエステル（ＴＰＥ）、ポリメチルメタクリレート（ＰＭＭＡ）、ポリウレタンメタクリレート、ポリエチレン、ポリエステル（ＰＥＴ）、ポリテトラフルオロエチレン（ＰＴＦＥ）、ポリカーボネート、パリレン、ポリ塩化ビニル、フルオロエチルプロピレン、レキサン（ｌｅｘａｎ）、ポリスチレン、環状オレフィンコポリマー、ポリウレタン、ポリアクリレートとブレンドされたポリウレタン、ポリエステルカーボネート、ポリプロピレン、ポリブチレン、ポリアクリレート、ポリカプロラクトン、ポリケトン、ポリフタルアミド、酢酸セルロース、ポリアクリロニトリル、ポリスルホン、エポキシポリマー、熱可塑性物質、ポリフッ化ビニリデン、ポリアミド、ポリイミド、ガラス、石英、ケイ素、ヒ化ガリウム、窒化ケイ素、溶融シリカ、セラミック、金属、またはそれらの組み合わせから選択される材料を含む、項目１〜９のいずれか１項に記載のマイクロ流体デバイス。
（項目１１）
前記流動チャネルおよび前記複数の流体溜まりのうちの少なくとも１つは、疎水性表面を備える、項目１〜１０のいずれか１項に記載のマイクロ流体デバイス。
（項目１２）
前記ディスク形状本体の少なくとも一部分は、天然に疎水性であるか、または表面処理されたポリジメチルシロキサン（ＰＤＭＳ）、ポリカーボネート（ＰＣ）、グリコール改質ポリエチレンテレフタレート（ＰＥＴＧ）、環状オレフィンコポリマー（ＣＯＣ）、環状オレフィンポリマー（ＣＯＰ）、ポリクロロトリフルオロエチレン（ＰＣＴＦＥ）、多層材料、またはそれらの組み合わせを含む、項目１〜１１のいずれか１項に記載のマイクロ流体デバイス。
（項目１３）
前記流動チャネルおよび前記複数の流体溜まりのうちの少なくとも１つは、親フルオロ性表面を備える、項目１〜１２のいずれか１項に記載のマイクロ流体デバイス。
（項目１４）
前記デバイスには、第１の流体が装填される、項目１〜１３のいずれか１項に記載のマイクロ流体デバイス。
（項目１５）
前記第１の流体は、油を含む、項目１４に記載のマイクロ流体デバイス。
（項目１６）
前記第１の流体は、フッ素化油、炭化水素油、シリコーン油、またはそれらの組み合わせを含む、項目１４〜１５のいずれか１項に記載のマイクロ流体デバイス。
（項目１７）
共通流体リザーバをさらに備え、前記共通流体リザーバは、前記流動チャネルのそれぞれの前記遠位端と流体連通し、前記共通流体リザーバは、前記流体出口ポートと流体連通する、項目３〜１６のいずれか１項に記載のマイクロ流体デバイス。
（項目１８）
前記流体出口ポートは、前記流体入口ポートよりも前記ディスク形状本体の中心の近くに位置する、項目１〜１７のいずれか１項に記載のマイクロ流体デバイス。
（項目１９）
前記流体出口ポートは、前記流体入口ポートよりも前記ディスク形状本体の中心から離れて位置する、項目１〜１７のいずれか１項に記載のマイクロ流体デバイス。
（項目２０）
前記流体出口ポートは、前記流体入口ポートと同等に、前記ディスク形状デバイスの中心の近くに位置する、項目１〜１７のいずれか１項に記載のマイクロ流体デバイス。
（項目２１）
複数のフローセルをさらに備え、各フローセルは、
複数の流動チャネルと、
流体入口ポートと、
流体出口ポートであって、前記流動チャネルの前記遠位端よりも前記ディスク形状本体の前記中心領域の近くに位置する、流体出口ポートと、
を備える、項目１〜２０のいずれか１項に記載のマイクロ流体デバイス。
（項目２２）
複数のフローセルをさらに備える、項目３〜２０のいずれか１項に記載のマイクロ流体デバイス。
（項目２３）
前記フローセルのそれぞれは、複数の流体入口ポート、複数の流体出口ポート、またはそれらの組み合わせを備える、項目２１〜２２のいずれか１項に記載のマイクロ流体デバイス。
（項目２４）
マイクロ流体デバイスに流体を導入するための方法であって、
項目１〜２３のいずれか１項に記載のマイクロ流体デバイスを提供するステップと、
前記マイクロ流体デバイスの第２の流体入口ポートに第２の流体を提供するステップと、
を含む、方法。
（項目２５）
前記マイクロ流体デバイスをその中心軸を中心として回転させて、前記マイクロ流体デバイスの前記流動チャネルに前記第２の流体を装填するステップをさらに含む、項目２４に記載の方法。
（項目２６）
前記第２の流体に圧力を印加するステップを含み、前記圧力は、前記マイクロ流体デバイスの前記流動チャネルを通じて第２の流体を推し進めるために十分である、項目２４に記載の方法。
（項目２７）
前記圧力は、正圧または負圧である、項目２６に記載の方法。
（項目２８）
前記第２の流体は、水溶液を含む、項目２４〜２７のいずれか１項に記載の方法。
（項目２９）
前記マイクロ流体デバイスの第１の流体入口ポートに第１の流体を導入するステップをさらに含み、前記第１の流体入口ポートおよび前記第２の流体入口ポートは独立して同じポートまたは異なるポートであり、前記第１の流体は油を含む、項目２４〜２８のいずれか１項に記載の方法。
（項目３０）
前記マイクロ流体デバイスの第３流体入口ポートに第３の流体を導入するステップをさらに含み、前記第１の流体入口ポート、前記第２の流体入口ポート、および前記第３の流体入口ポートは、独立して同じポートまたは異なるポートであり、前記第３の流体は油を含む、項目２４〜２９のいずれか１項に記載の方法。
（項目３１）
前記第３の流体は、フッ素化油、炭化水素油、シリコーン油、またはそれらの組み合わせを含む、項目３０に記載の方法。
（項目３２）
分析システムであって、
項目１〜２３のいずれか１項に記載のマイクロ流体デバイスをその中心軸を中心として回転させるために構成される回転構成要素と、
前記マイクロ流体デバイスの前記流体溜まりのうちの少なくとも１つを光学的に分析するように構成される光学検出構成要素と、
前記回転構成要素と前記光学検出構成要素とを制御するために構成され、かつ前記光学検出構成要素から生成されるデータを記憶するように構成される処理装置と、
を備える、分析システム。
（項目３３）
それぞれ流体を収容することができる複数の流体リザーバをさらに備え、前記複数の流体リザーバは、前記流体を前記マイクロ流体デバイスの前記流体入口ポートに提供するように構成される、項目３２に記載の分析システム。
（項目３４）
前記複数の流体溜まりに熱を付与するように構成される熱制御構成要素をさらに備える、項目３２〜３３のいずれか１項に記載の分析システム。
（項目３５）
前記熱制御構成要素は、ポリメラーゼ連鎖反応（ＰＣＲ）、等温増幅、またはそれらの組み合わせを行うに十分に前記複数の流体溜まりを加熱するように構成される、項目３４に記載の分析システム。
（項目３６）
前記流動チャネルを通じて流体を移動させるように構成される流体導入構成要素をさらに備える、項目３２〜３５のいずれか１項に記載の分析システム。
（項目３７）
前記流体導入構成要素は、前記流体入口ポートのうちの少なくとも１つと流体連通する圧力源を備え、前記圧力源は、前記流動チャネルを通じて流体を移動させるのに十分な正圧または負圧を印加するように構成され、前記正圧または負圧は、気圧、空気圧、水圧、またはその組み合わせからなる群から選択される、項目３６に記載の分析システム。
（項目３８）
前記流体導入構成要素は、毛管現象、ウィッキング、または遠心力駆動流によって、前記流動チャネルを通って流体を移動させるように構成される、項目３２〜３７のいずれか１項に記載の分析システム。
（項目３９）
前記光学検出構成要素は、５０ＲＰＭ〜２０００ＲＰＭで回転する前記マイクロ流体デバイスを分析するように構成される、項目３２〜３８のいずれか１項に記載の分析システム。
（項目４０）
前記光学検出構成要素は、顕微鏡、レーザスキャナ、光ディスクドライブ、またはそれらの組み合わせを備える、項目３２〜３９のいずれか１項に記載の分析システム。
（項目４１）
前記回転構成要素は、前記マイクロ流体デバイスの回転速度を調節して、前記光学検出構成要素の読出し速度に一致させるように構成される、項目３２〜４０のいずれか１項に記載の分析システム。
（項目４２）
前記回転構成要素は、前記マイクロ流体デバイスを５０ＲＰＭ〜５０００ＲＰＭで回転させるように構成される、項目３２〜４０のいずれか１項に記載の分析システム。
（項目４３）
光ディスクドライブをさらに備える、項目３２〜４２のいずれか１項に記載の分析システム。
（項目４４）
前記光ディスクドライブは、コンパクトディスク（ＣＤ）ドライブ、デジタルビデオディスク（ＤＶＤ）ドライブ、ブルーレイドライブ、もしくはそれらの修正版、またはそれらの組み合わせである、項目４３に記載の分析システム。
（項目４５）
複数のマイクロ流体デバイスを収容、回転、および処理するために構成される、項目３２〜４４のいずれか１項に記載の分析システム。
（項目４６）
マイクロ流体デバイスであって、
複数のウェルを備えるマイクロウェルプレートを備え、前記ウェルのそれぞれは、
前記ウェルと流体連通する流体入口ポートと、
前記ウェルと流体連通する流体出口ポートと、
流動軸を有する流動チャネルであって、前記流体入口ポートおよび前記流体出口ポートと流体連通する、流動チャネルと、
前記流動チャネルと流体連通し、かつ前記流動軸からずれている複数の流体溜まりと、
を備える、マイクロ流体デバイス。
（項目４７）
前記ウェルのうちの少なくとも１つは、複数の流動チャネルを備える、項目４６に記載のマイクロ流体デバイス。
（項目４８）
前記ウェルのうちの少なくとも１つは、複数の流体入口ポートを備える、項目４６〜４７のいずれか１項に記載のマイクロ流体デバイス。
（項目４９）
前記ウェルのうちの少なくとも１つは、複数の流体出口ポートを備える、項目４６〜４８のいずれか１項に記載のマイクロ流体デバイス。
（項目５０）
前記複数のウェルは、アレイに配列される、項目４６〜４９のいずれか１項に記載のマイクロ流体デバイス。
（項目５１）
前記複数のウェルは、正方マトリクスアレイに配置される、項目４６〜５０のいずれか１項に記載のマイクロ流体デバイス。
（項目５２）
前記複数のウェルは、２：３または３：４の行対列の比を有する矩形マトリクスアレイに配置される、項目４６〜５０のいずれか１項に記載のマイクロ流体デバイス。
（項目５３）
前記マイクロ流体デバイスは、６、１２、２４、４８、９６、３８４、または１５３６個のウェルを含む、項目４６〜５２のいずれか１項に記載のマイクロ流体デバイス。
（項目５４）
前記流体溜まりのうちの少なくとも１つは、前記流動軸に直交する以外の角度である、項目４６〜５３のいずれか１項に記載のマイクロ流体デバイス。
（項目５５）
前記流体溜まりのうちの少なくとも１つは、前記流動軸に直交する角度にある、項目４６〜５４のいずれか１項に記載のマイクロ流体デバイス。
（項目５６）
前記流体溜まりのそれぞれは、開口管路によって前記流動チャネルと流体連通する、項目４６〜５５のいずれか１項に記載のマイクロ流体デバイス。
（項目５７）
前記流体溜まりのうちの少なくとも１つは、前記流動チャネルと流体連通するチャネルを備える、項目４６〜５６のいずれか１項に記載のマイクロ流体デバイス。
（項目５８）
前記デバイスは、ポリジメチルシロキサン（ＰＤＭＳ）、熱硬化性ポリエステル（ＴＰＥ）、ポリメチルメタクリレート（ＰＭＭＡ）、ポリウレタンメタクリレート、ポリエチレン、ポリエステル（ＰＥＴ）、ポリテトラフルオロエチレン（ＰＴＦＥ）、ポリカーボネート、パリレン、ポリ塩化ビニル、フルオロエチルプロピレン、レキサン（ｌｅｘａｎ）、ポリスチレン、環状オレフィンコポリマー、ポリウレタン、ポリアクリレートとブレンドされたポリウレタン、ポリエステルカーボネート、ポリプロピレン、ポリブチレン、ポリアクリレート、ポリカプロラクトン、ポリケトン、ポリフタルアミド、酢酸セルロース、ポリアクリロニトリル、ポリスルホン、エポキシポリマー、熱可塑性物質、ポリフッ化ビニリデン、ポリアミド、ポリイミド、ガラス、石英、ケイ素、ヒ化ガリウム、窒化ケイ素、溶融シリカ、セラミック、金属、またはそれらの組み合わせから選択される材料を含む、項目４６〜５７のいずれか１項に記載のマイクロ流体デバイス。
（項目５９）
前記流動チャネルおよび前記流体溜まりのうちの少なくとも１つは、疎水性表面を備える、項目４６〜５８のいずれか１項に記載のマイクロ流体デバイス。
（項目６０）
各ウェルは、内チャンバと外チャンバとをさらに備え、前記内チャンバは前記入口ポートと流体連通し、前記外チャンバは前記出口ポートと流体連通する、項目４６〜５９のいずれか１項に記載のマイクロ流体デバイス。
（項目６１）
前記内チャンバおよび前記外チャンバの構成は、前記流動チャネルを通る非円形の流動の方向を創出するのに十分である、項目６０に記載のマイクロ流体デバイス。
（項目６２）
前記デバイスの少なくとも一部が、天然に疎水性であるか、または表面処理されたポリジメチルシロキサン（ＰＤＭＳ）、ポリカーボネート（ＰＣ）、グリコール改質ポリエチレンテレフタレート（ＰＥＴＧ）、環状オレフィンコポリマー（ＣＯＣ）、環状オレフィンポリマー（ＣＯＰ）、ポリクロロトリフルオロエチレン（ＰＣＴＦＥ）、または多層材料を含み、前記流動チャネル、前記複数の流体溜まり、またはそれらの組み合わせに疎水性表面を提供する、項目４６〜６１のいずれか１項に記載のマイクロ流体デバイス。
（項目６３）
前記デバイスには、第１の流体が装填され、前記第１の流体は油を含む、項目４６〜６２のいずれか１項に記載のマイクロ流体デバイス。
（項目６４）
前記第１の流体は、フッ素化油、炭化水素油、シリコーン油、またはそれらの組み合わせを含む、項目６３に記載のマイクロ流体デバイス。
（項目６５）
マイクロ流体デバイスに流体を導入する方法であって、
項目１〜２３または４６〜６４のいずれか１項に記載のマイクロ流体デバイスを提供するステップと、
前記マイクロ流体デバイスの前記流動チャネルに第１の流体を導入するステップと、
を含む、方法。
（項目６６）
前記第１の流体は、油を含む、項目６５に記載の方法。
（項目６７）
前記油は、フッ素化油、炭化水素油、シリコーン油、またはそれらの組み合わせから選択される、項目６６に記載の方法。
（項目６８）
マイクロ流体デバイスに流体を導入する方法であって、
項目１〜２３または４６〜６４のいずれか１項に記載のマイクロ流体デバイスを提供するステップと、
前記マイクロ流体デバイスの前記流動チャネルに第２の流体を導入するステップと、
を含み、前記第２の流体は水溶液である、方法。
（項目６９）
前記第２の流体は、検体を含み、前記方法は、前記流体溜まりのうちの少なくとも１つ内で前記検体の分析を行うステップをさらに含む、項目６８に記載の方法。
（項目７０）
前記検体は、生物学的材料を含む、項目６９に記載の方法。
（項目７１）
前記生物学的材料は、細胞、細菌、ウイルス、プリオン、核酸、タンパク質、遺伝物質の発現産物、結晶化分子、粒子、またはそれらの組み合わせから選択される、項目７０に記載の方法。
（項目７２）
前記第２の流体は、第１の核酸分子および第２の核酸分子を含み、前記方法は、前記第１の核酸分子を第１の流体溜まりに分配するステップをさらに含み、前記第１の流体溜まりは、前記第２の核酸分子を含まない、項目６８〜７１のいずれか１項に記載の方法。
（項目７３）
前記マイクロ流体デバイスの前記流動チャネルに第１の流体を導入するステップをさらに含み、前記第１の流体は、前記第２の流体が前記流動チャネルに導入される前に前記流動チャネルに導入される、項目６５〜６７のいずれか１項に記載の方法。
（項目７４）
前記第１の流体は、油を含む、項目７３に記載の方法。
（項目７５）
前記油は、フッ素化油、炭化水素油、シリコーン油、またはそれらの組み合わせから選択される、項目７４に記載の方法。
（項目７６）
前記マイクロ流体デバイスの前記流動チャネルに第３の流体を導入するステップをさらに含む、項目６５〜７５のいずれか１項に記載の方法。
（項目７７）
前記第３の流体は、前記第２の流体が前記流動チャネルに導入された後に前記流動チャネルに導入される、項目７６に記載の方法。
（項目７８）
前記第１の流体は油であり、前記第２の流体は水溶液であり、前記第３の流体は油である、項目７６または７７のいずれか１項に記載の方法。
（項目７９）
前記マイクロ流体デバイスの前記流動チャネルに第４の流体を導入するステップをさらに含む、項目６５〜７８のいずれか１項に記載の方法。
（項目８０）
前記第４の流体は、前記第１の流体が前記流動チャネルに導入された後、かつ前記第２の流体が前記流動チャネルに導入される前に、前記流動チャネルに導入される、項目７９に記載の方法。
（項目８１）
前記第４の流体は、前記第２の流体が前記流動チャネルに導入された後、かつ前記第３の流体が前記流動チャネルに導入される前に、前記流動チャネルに導入される、項目７９または８０のいずれか１項に記載の方法。
（項目８２）
前記第４の流体は、前記第３の流体が前記流動チャネルに導入された後に、前記流動チャネルに導入される、項目７９または８０のいずれか１項に記載の方法。
（項目８３）
前記第１の流体は油であり、前記第２の流体は水溶液であり、前記第３の流体は油であり、前記第４の流体は油であり、前記第１、第３、および第４の流体は、独立して同じであるか互いに異なる、項目７９〜８２のいずれか１項に記載の方法。
（項目８４）
前記油のそれぞれは、独立して、フッ素化油、炭化水素油、シリコーン油、またはそれらの組み合わせから選択される、項目８３に記載の方法。
（項目８５）
前記マイクロ流体デバイスの前記流動チャネルに第５の流体を導入するステップをさらに含む、項目６５〜８４のいずれか１項に記載の方法。
（項目８６）
前記第５の流体は、前記第２の流体が前記流動チャネルに導入された後に、前記流動チャネルに導入される、項目８５に記載の方法。
（項目８７）
前記第５の流体は、前記第３の流体が前記流動チャネルに導入された後に、前記流動チャネルに導入される、項目８５および８６のいずれか１項に記載の方法。
（項目８８）
前記流動チャネルに第４の流体を導入するステップをさらに含み、前記第４の流体は、前記第１の流体が前記流動チャネルに導入された後、かつ前記第２の流体が前記流動チャネルに導入される前に、前記流動チャネルに導入される、項目８５〜８７のいずれか１項に記載の方法。
（項目８９）
前記第１の流体は油であり、前記第２の流体は水溶液であり、前記第３の流体は油であり、前記第４の流体は油であり、前記第５の流体は油であり、前記第１、第３、第４、および第５の流体は、独立して同じであるか互いに異なる、項目８５〜８８のいずれか１項に記載の方法。
（項目９０）
前記油のそれぞれは、独立して、フッ素化油、炭化水素油、シリコーン油、またはそれらの組み合わせから選択される、項目８９に記載の方法。
（項目９１）
マイクロ流体デバイスに流体を導入する方法であって、
項目１〜２３または４６〜６４のいずれか１項に記載のマイクロ流体デバイスを提供するステップと、
前記マイクロ流体デバイスの前記流動チャネルに第１の流体を導入するステップと、
前記マイクロ流体デバイスの前記流動チャネルに第２の流体を導入するステップと、
前記マイクロ流体デバイスの前記流動チャネルに第３の流体を導入するステップと、
前記マイクロ流体デバイスの前記流動チャネルに第４の流体を導入するステップと、
前記マイクロ流体デバイスの前記流動チャネルに第５の流体を導入するステップと、
を含み、前記第１の流体は油であり、第２の流体は水溶液であり、第３の流体は油であり、第４の流体は油であり、第５の流体は油であり、前記第１、第３、第４、および第５の流体は独立して同じであるか互いに異なる、方法。
（項目９２）
前記油のそれぞれは、独立して、フッ素化油、炭化水素油、シリコーン油、またはそれらの組み合わせから選択される、項目９１に記載の方法。
（項目９３）
前記第１の流体は、前記流動チャネルに導入される初期流体であり、前記第１の流体の後に前記第２の流体が導入され、前記第２の流体の後に前記第４の流体が導入され、前記第４の流体の後に前記第３の流体が導入され、前記第３の流体の後に前記第５の流体が導入される、項目９１〜９２のいずれか１項に記載の方法。
（項目９４）
前記第１の流体は、前記流動チャネルに導入される初期流体であり、前記第１の流体の後に前記第４の流体が導入され、前記第４の流体の後に前記第２の流体が導入され、前記第２の流体の後に前記第３の流体が導入され、前記第３の流体の後に前記第５の流体が導入される、項目９１〜９２のいずれか１項に記載の方法。
（項目９５）
マイクロ流体デバイスに流体を導入する方法であって、
項目１〜２３または４６〜６４のいずれか１項に記載のマイクロ流体デバイスを提供するステップと、
前記マイクロ流体デバイスの前記流動チャネルに第１の流体を導入するステップと、
前記マイクロ流体デバイスの前記流動チャネルに第２の流体を導入するステップと、
前記マイクロ流体デバイスの前記流動チャネルに第３の流体を導入するステップと、
必要に応じて前記マイクロ流体デバイスの前記流動チャネルに第４の流体を導入するステップと、
必要に応じて前記マイクロ流体デバイスの前記流動チャネルに第５の流体を導入するステップと、
を含み、前記第１の流体は油であり、前記第２の流体は水溶液であり、前記第３の流体は油であり、前記第４の流体は油であり、前記第５の流体は油であり、前記第１、第３、第４、および第５の流体は、独立して同じであるか互いに異なる、方法。
（項目９６）
前記第１の流体は、最初に導入され、前記第１の流体の後に前記第２の流体が導入され、前記第２の流体の後に前記第４の流体が導入され、前記第４の流体の後に前記第３の流体が導入され、必要に応じて前記第３の流体の後に前記第５の流体が導入される、項目９５に記載の方法。
（項目９７）
前記第１の流体は、最初に導入され、前記第１の流体の後に第４の流体が導入され、前記第４の流体の後に前記第２の流体が導入され、前記第２の流体の後に前記第３の流体が導入され、必要に応じて第３の流体の後に前記第５の流体が導入される、項目９５に記載の方法。
（項目９８）
前記流動チャネルへの流体導入のシーケンスは、
（ａ）油、水溶液、および油、
（ｂ）油、油、水溶液、油、および油、
（ｃ）油、油、水溶液、および油、または
（ｄ）油、水溶液、油、および油、から選択され、前記油のそれぞれの組成は独立して同じであるか異なる、項目６５〜９７のいずれか１項に記載の方法。
（項目９９）
前記シーケンスの任意の時点で、油または水溶液から選択される１つまたはそれを上回る追加の流体を導入することをさらに含む、項目９８に記載の方法。
（項目１００）
前記流動チャネルに導入される前記第１の流体が油である、項目６５〜９９のいずれか１項に記載の方法。
（項目１０１）
前記流動チャネルに導入される前記第１の流体は、水溶液でない、項目６５〜１００のいずれか１項に記載の方法。
（項目１０２）
前記流体は、気圧、空気圧、水圧、またはそれらの組み合わせから選択される流体圧を印加することで前記流動チャネルに導入され、前記流体圧は陽流体圧または陰流体圧である、項目６５〜１０１のいずれか１項に記載の方法。
（項目１０３）
前記流体は、毛管現象またはウィッキングによって前記流動チャネルに導入される、項目６５〜１０１のいずれか１項に記載の方法。
（項目１０４）
前記流体は、遠心力駆動流によって前記流動チャネルに導入される、項目６５〜１０１のいずれか１項に記載の方法。
（項目１０５）
前記流体を、前記マイクロ流体デバイスの前記流体入口ポートを介して前記流動チャネルに導入するステップをさらに含む、項目６５〜１０３のいずれか１項に記載の方法。
（項目１０６）
前記流体は、前記マイクロ流体デバイスの前記流体溜まりを介して前記流動チャネルに導入される、項目６５〜１０５のいずれか１項に記載の方法。
（項目１０７）
前記複数の流体溜まり内でデジタルポリメラーゼ連鎖反応（ＰＣＲ）を実行するステップをさらに含む、項目７０〜１０６のいずか１項に記載の方法。
（項目１０８）
前記複数の流体溜まり内で等温増幅を実行するステップをさらに含む、項目７０〜１０６のいずれか１項に記載の方法。
（項目１０９）
前記検体は、前記流体溜まり内で結晶化される、項目６９〜１０６のいずれか１項に記載の方法。
（項目１１０）
前記検体は、悪性表現型を発現する細胞、胎児細胞、循環内皮細胞、腫瘍細胞、ウイルスに感染した細胞、対象とする遺伝子でトランスフェクトした細胞、免疫細胞の亜型、または自己免疫もしくは自己反応性障害に罹患した患者の末梢血中に存在するＴ細胞もしくはＢ細胞から選択される、少なくとも１つの希少細胞を含む、項目６９〜１０６のいずれか１項に記載の方法。
（項目１１１）
前記第１の流体を第１の流体入口ポートに、および前記第２の流体を第２の流体入口ポートに導入するステップをさらに含み、前記第１の流体入口ポートおよび前記第２の流体入口ポートは同じポートまたは異なるポートである、項目６８〜１１０のいずれか１項に記載の方法。
（項目１１２）
前記第３の流体を第３の流体入口ポートに、前記第４の流体を第４の入口ポートに、および前記第５の流体を流体入口ポートに導入するステップをさらに含み、前記第３の流体入口ポート、前記第４の流体入口ポート、および前記第５の流体入口ポートは独立して同じポートまたは異なるポートであり、前記第３の流体入口ポート、前記第４の流体入口ポート、および前記第５の流体入口ポートは独立して前記第１の流体入口ポートならびに前記第２の流体入口ポートと同じまたは異なるポートである、項目１１１に記載の方法。
（項目１１３）
分析システムであって、
項目１〜２３または４６〜６４のいずれか１項に記載のマイクロ流体デバイスを受容するように構成されるチャンバと、
前記流動チャネルを通じて流体を推し進めるために十分な圧力を前記流動チャネルに印加するように構成される流体加圧装置と、
前記マイクロ流体デバイスの前記流体溜まりのうちの少なくとも１つを光学的に分析するための光学検出構成要素と、
前記光学検出構成要素を制御するように構成され、かつ前記光学検出構成要素から生成されるデータを記憶するように構成される処理装置と、
を備える、分析システム。
（項目１１４）
分析システムであって、
項目１〜２３または４６〜６４のいずれか１項に記載のマイクロ流体デバイスを受容するように構成されるチャンバと、
流動チャネルの少なくとも一部を通って流体を導入するように構成される流体導入構成要素と、
流体溜まりを光学的に分析するように構成される光学検出構成要素と、
前記光学検出構成要素を制御するように構成され、かつ前記光学検出構成要素から生成されるデータを記憶するように構成される処理装置と、
を備える、分析システム。
（項目１１５）
前記流体導入構成要素は、複数の流動チャネルのうちの少なくとも１つを通じて流体を動かすように構成される、項目１１４に記載の分析システム。
（項目１１６）
流体導入構成要素は、気圧源、空気圧源、水圧源、またはそれらの組み合わせから選択され、前記流体導入構成要素は、流体を流動チャネルに流動させるのに十分な正圧または負圧の源を含む、項目１１４〜１１５のいずれか１項に記載の分析システム。
（項目１１７）
前記流体導入構成要素は、前記流体を、毛管現象、ウィッキング、遠心力、またはそれらの組み合わせによって、少なくとも部分的に流動チャネルを通って動かすように構成される、項目１１４〜１１６のいずれか１項に記載の分析システム。
（項目１１８）
前記光学検出構成要素は、複数の流体溜まりを光学的に分析するように構成される、項目１１４〜１１７のいずれか１項に記載の分析システム。
（項目１１９）
前記流体溜まりのうちの少なくとも１つに熱を付与するように構成される熱制御構成要素をさらに備える、項目１１４〜１１８のいずれか１項に記載の分析システム。
（項目１２０）
前記光学検出構成要素は、撮像デバイス、光ディスクドライブ、レーザスキャナ、またはそれらの組み合わせを備える、項目１１４〜１１９のいずれか１項に記載の分析システム。
（項目１２１）
流体を収容するための複数の流体リザーバをさらに備え、前記複数の流体リザーバは前記マイクロ流体デバイスの前記流体入口ポートに前記流体を提供するように構成される、項目１１４〜１２０のいずれか１項に記載の分析システム。
（項目１２２）
第２の流体リザーバおよび第３の流体リザーバをさらに備え、前記第２の流体リザーバは第２の流体を含み、前記第３の流体リザーバは第３の流体を含み、前記第２の流体は水溶液を含み、前記第３の流体は油を含む、項目１１３〜１２１のいずれか１項に記載の分析システム。
（項目１２３）
前記マイクロ流体デバイスには、第１の流体および前記第２の流体が装填され、前記第１の流体は油を含む、項目１１４〜１２２のいずれか１項に記載の分析システム。
（項目１２４）
前記光学検出構成要素は、流体溜まり内に存在する検体を検出するように構成される、項目１１４〜１２３のいずれか１項に記載の分析システム。
（項目１２５）
前記光学検出構成要素および前記処理装置は、前記流体溜まりのうちの少なくともいくつかにおける水溶液の体積を決定するように構成される、項目１１４〜１２４のいずれか１項に記載の分析システム。
（項目１２６）
前記流体溜まりのそれぞれは、開口管路を通して流動チャネルと流体連通する、項目１１３〜１２５のいずれか１項に記載の分析システム。
（項目１２７）
前記流体溜まりのうちの少なくとも１つは、前記流動チャネルと流体連通する少なくとも１つチャネルを備える、項目１１３〜１２６のいずれか１項に記載の分析システム。
（項目１２８）
装置であって、
流動軸と、上流端と、下流端とを有する流動チャネルと、
前記流動チャネルと流体連通し、かつ前記流動軸からずれている複数の流体溜まりと、
を備え、前記流体溜まりのそれぞれは、上流端および下流端を有し、前記流動チャネルは、前記流体溜まりそれぞれの上流または下流に位置決めされる収縮部を備える、装置。
（項目１２９）
前記収縮部は、前記流動チャネルの最大幅のおよそ３分の１の幅である、項目１２８に記載の装置。
（項目１３０）
前記複数の流体溜まりは、前記流動チャネルを備える前記デバイスの面の下または上の面に位置決めされる、項目１２８に記載の装置。
（項目１３１）
前記流動チャネルは、第２の流体の源、および前記第２の流体とは混合しない第３の流体の源と流体連通している、項目１２８〜１３０のいずれか１項に記載の装置。
（項目１３２）
前記流動チャネルまたは前記複数の流体溜まりのいずれか１つには、第１の流体が装填され、前記第１の流体は、油である、項目１２８〜１３１のいずれか１項に記載の装置。
（項目１３３）
前記流体溜まりのそれぞれは、前記下流端上でテーパー状である、項目１２８〜１３２のいずれか１項に記載の装置。
（項目１３４）
前記流動チャネルの幅と流体溜まりの幅との差は、前記流体溜まりの幅の０．００１〜１．５倍の間である、項目１２８〜１３３のいずれか１項に記載の装置。
（項目１３５）
流体溜まりの高さは、前記流動チャネルの高さよりも大きい、項目１２８〜１３４のいずれか１項に記載の装置。
（項目１３６）
流体溜まりの長さは、前記流体溜まりの幅よりも大きい、項目１２８〜１３５のいずれか１項に記載の装置。
（項目１３７）
第１の流体溜まりの前記下流端および第２の流体溜まりの前記上流端は、ある距離で離されており、前記距離は、前記第１の流体溜まりの長さの０．１〜３倍の間である、項目１２８〜１３６のいずれか１項に記載の装置。
（項目１３８）
前記流動チャネルの幅は、流体溜まりの幅よりも大きく、流体溜まりの下流端は、別の流体溜まりの前記上流端に重ならない、項目１２８〜１３７のいずれか１項に記載の装置。
（項目１３９）
項目１〜２３および４６〜６４のいずれか１項に記載のデバイスを備える、装置。